【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
物体側から順に、正の対物光学系と正の接眼光学系が配置され、また、対物光学系により形成された実像を正立正像させる像反転手段を有する実像式変倍ファインダーにおいて、
前記対物光学系は、少なくとも複数の移動レンズ群と、物体側より順に、各々入射する主光線と反射後の主光線とを含む平面上若しくはその平面に垂直な方向で、正のパワーを持つ第１反射面、負のパワーを持つ第２反射面、負のパワーを持つ第３反射面を有し、少なくとも１面の反射面は回転非対称面で構成されていることを特徴とする実像式変倍ファインダー。
【請求項２】
第１反射面は次の条件式を満たしていることを特徴とする請求項１記載の実像式変倍ファインダー。
０．０１＜｜２ｎ・Ｉｈ／（ｒ cosθ）｜＜１．０        ・・・（１）
ただし、ｒは軸上主光線が通過する地点での曲率半径、ｎは入射射出側のｄ線の屈折率、θは反射角、Ｉｈは最大の中間結像高である。
【請求項３】
第２、３反射面の中、パワーの強い方の反射面は次の条件式を満たしていることを特徴とする請求項１記載の実像式変倍ファインダー。
０．００５＜２ｎ・Ｉｈ／（ｒ cosθ）｜＜１．０        ・・・（２）
ただし、ｒは軸上主光線が通過する地点での曲率半径、ｎは入射射出側のｄ線の屈折率、θは反射角、Ｉｈは最大の中間結像高である。
【請求項４】
物体側から順に、正の対物光学系と正の接眼光学系が配置され、また、対物光学系により形成された実像を正立正像させる像反転手段を有する実像式変倍ファインダーにおいて、
前記対物光学系は、少なくとも複数の移動レンズ群と、物体側より順に、各々入射する主光線と反射後の主光線とを含む平面上若しくはその平面に垂直な方向で、負のパワーを持つ第１反射面、正のパワーを持つ第２反射面、正のパワーを持つ第３反射面を有し、少なくとも１面の反射面は回転非対称面で構成されていることを特徴とする実像式変倍ファインダー。
【請求項５】
第１反射面は次の条件式を満たしていることを特徴とする請求項４記載の実像式変倍ファインダー。
０．０１＜｜２ｎ・Ｉｈ／（ｒ cosθ）｜＜１．０        ・・・（３）
ただし、ｒは軸上主光線が通過する地点での曲率半径、ｎは入射射出側のｄ線の屈折率、θは反射角、Ｉｈは最大の中間結像高である。
【請求項６】
第２、３反射面の中、パワーの強い方の反射面は次の条件式を満たしていることを特徴とする請求項４記載の実像式変倍ファインダー。
０．０１＜｜２ｎ・Ｉｈ／（ｒ cosθ）｜＜１．０        ・・・（４）
ただし、ｒは軸上主光線が通過する地点での曲率半径、ｎは入射射出側のｄ線の屈折率、θは反射角、Ｉｈは最大の中間結像高である。
【請求項７】
物体側から順に、正の対物光学系と正の接眼光学系が配置され、また、対物光学系により形成された実像を正立正像させる像反転手段を有する実像式変倍ファインダーにおいて、
前記対物光学系は、少なくとも複数の移動レンズ群と、物体側より順に、各々入射する主光線と反射後の主光線とを含む平面上若しくはその平面に垂直な方向で、正のパワーを持つ第１反射面、負のパワーを持つ第２反射面、正のパワーを持つ第３反射面を有し、少なくとも１面の反射面は回転非対称面で構成されており、少なくとも２面は全ての方位角で同じ符号のパワーを有していることを特徴とする実像式変倍ファインダー。
【請求項８】
第２反射面は次の条件式を満たしていることを特徴とする請求項７記載の実像式変倍ファインダー。
０．０１＜｜２ｎ・Ｉｈ／（ｒ cosθ）｜＜２．０        ・・・（５）
ただし、ｒは軸上主光線が通過する地点での曲率半径、ｎは入射射出側のｄ線の屈折率、θは反射角、Ｉｈは最大の中間結像高である。
【請求項９】
第１、３反射面の中、パワーの強い方の反射面は次の条件式を満たしていることを特徴とする請求項７記載の実像式変倍ファインダー。
０．０１＜｜２ｎ・Ｉｈ／（ｒ cosθ）｜＜２．０        ・・・（６）
ただし、ｒは軸上主光線が通過する地点での曲率半径、ｎは入射射出側のｄ線の屈折率、θは反射角、Ｉｈは最大の中間結像高である。
【請求項１０】
物体側から順に、正の対物光学系と正の接眼光学系が配置され、また、対物光学系により形成された実像を正立正像させる像反転手段を有する実像式変倍ファインダーにおいて、
前記対物光学系は、少なくとも複数の移動レンズ群と、物体側より順に、各々入射する主光線と反射後の主光線とを含む平面上若しくはその平面に垂直な方向で、負のパワーを持つ第１反射面、正のパワーを持つ第２反射面、負のパワーを持つ第３反射面を有し、少なくとも１面の反射面は回転非対称面で構成されており、少なくとも１面は全ての方位角で同じ符号のパワーを有していることを特徴とする実像式変倍ファインダー。
【請求項１１】
第２反射面は次の条件式を満たしていることを特徴とする請求項１０記載の実像式変倍ファインダー。
０．０１＜｜２ｎ・Ｉｈ／（ｒ cosθ）｜＜１．０        ・・・（７）
ただし、ｒは軸上主光線が通過する地点での曲率半径、ｎは入射射出側のｄ線の屈折率、θは反射角、Ｉｈは最大の中間結像高である。
【請求項１２】
第１、３反射面の中、パワーの強い方の反射面は次の条件式を満たしていることを特徴とする請求項１０記載の実像式変倍ファインダー。
０．０１＜｜２ｎ・Ｉｈ／（ｒ cosθ）｜＜１．０        ・・・（８）
ただし、ｒは軸上主光線が通過する地点での曲率半径、ｎは入射射出側のｄ線の屈折率、θは反射角、Ｉｈは最大の中間結像高である。
【請求項１３】
物体側から順に、正の対物光学系と正の接眼光学系が配置され、また、対物光学系により形成された実像を正立正像させる像反転手段を有する実像式変倍ファインダーにおいて、
前記対物光学系は、少なくとも複数の移動レンズ群と、物体側より順に、方位によりパワーの符号が異なる回転非対称の反射面を少なくとも３面有し、何れの回転非対称面も少なくとも１つの対称面を有し、その対称面は３面共同一面に若しくは互いに平行に配置されているかあるいは各面相互のなす角の最大角が３０°以下であることを特徴とする実像式変倍ファインダー。
【請求項１４】
連続する３つの反射面は、物体側より負のパワーを持つ第１反射面、正のパワーを持つ第２反射面、負のパワーを持つ第３反射面、また同時に、別の方位では正のパワーを持つ第１反射面、負のパワーを持つ第２反射面、正のパワーのパワーを持つ第３反射面の順であることを特徴とする請求項１３記載の実像式変倍ファインダー。
【請求項１５】
第２反射面の偏心回転軸と垂直な方向の曲率半径は次の条件式を満たしていることを特徴とする請求項１３記載の実像式変倍ファインダー。
０．０１＜｜２ｎ・Ｉｈ／（ｒy cos θ）｜＜１．０      ・・・（９）
ただし、ｒy は軸上主光線が通過する地点での偏心回転軸と垂直な方向の曲率半径、ｎは入射射出側のｄ線の屈折率、θは反射角、Ｉｈは最大の中間結像高である。
【請求項１６】
第２反射面の偏心回転軸と平行な方向の曲率半径は次の条件式を満たしていることを特徴とする請求項１３記載の実像式変倍ファインダー。
０．０１＜｜２ｎ・Ｉｈ／（ｒx  cosθ）｜＜１．０      ・・・（10）
ただし、ｒx は軸上主光線が通過する地点での偏心回転軸と平行な方向の曲率半径、ｎは入射射出側のｄ線の屈折率、θは反射角、Ｉｈは最大の中間結像高である。
【請求項１７】
第１、３反射面の中、パワーの強い方の偏心回転軸と垂直な方向の曲率半径は次の条件式を満たしていることを特徴とする請求項１３記載の実像式変倍ファインダー。
０．０１＜｜２ｎ・Ｉｈ／（ｒy  cosθ）｜＜１．０      ・・・（11）
ただし、ｒy は軸上主光線が通過する地点での偏心回転軸と垂直な方向の曲率半径、ｎは入射射出側のｄ線の屈折率、θは反射角、Ｉｈは最大の中間結像高である。
【請求項１８】
第１、３反射面の中、パワーの強い方の偏心回転軸と平行な方向の曲率半径は次の条件式を満たしていることを特徴とする請求項１３記載の実像式変倍ファインダー。
０．０１＜｜２ｎ・Ｉｈ／（ｒx  cosθ）｜＜１．０      ・・・（12）
ただし、ｒx は軸上主光線が通過する地点での偏心回転軸と平行な方向の曲率半径、ｎは入射射出側のｄ線の屈折率、θは反射角、Ｉｈは最大の中間結像高である。
【請求項１９】
変倍の際の移動群は２つのみであることを特徴とする請求項１〜１８の何れか１項記載の実像式変倍ファインダー。
【請求項２０】
結像作用は１回のみであることを特徴とする請求項１〜１８の何れか１項記載の実像式変倍ファインダー。
【請求項２１】
変倍の際、対物光学系中で最も物体側の第１群は固定群であることを特徴とする請求項１〜１８の何れか１項記載の実像式変倍ファインダー。
【請求項２２】
中間結像面よりも物体側の少なくとも２面が回転非対称面で構成されていることを特徴とする請求項１〜１８の何れか１項記載の実像式変倍ファインダー。
【請求項２３】
反射面の中にダハ面を有していることを特徴とする請求項１〜１８の何れか１項記載の実像式変倍ファインダー。
【請求項２４】
対物光学系の移動群は反射面を有していない屈折光学系であることを特徴とする請求項１〜１８の何れか１項記載の実像式変倍ファインダー。
【請求項２５】
中間結像面より物体側に配置される像反転光学系は変倍中は固定であることを特徴とする請求項１〜１８の何れか１項記載の実像式変倍ファインダー。
【請求項２６】
中間結像面より物体側には、第１反射面と第３反射面が他の透過面、反射面とは独立で構成され、第２反射面は第１透過面、第２透過面と同一面で構成され、また、軸上主光線若しくは軸上主光線の一部を含む平面上に射影することにより定義する射影軸上主光線が、光線の進行方向を基準にしたとき、何れも異なる方向に曲がる光路を取る反射面が配置されることを特徴とする請求項１〜１８の何れか１項記載の実像式変倍ファインダー。
【請求項２７】
第１反射面の反射角は次の条件式を満たすことを特徴とする請求項２６記載の実像式変倍ファインダー。
１０°＜θ1 ＜４５°                                  ・・・（13）
ただし、θ1 は第１反射面における軸上主光線の反射角である。
【請求項２８】
第２反射面の反射角は次の条件式を満たすことを特徴とする請求項２６記載の実像式変倍ファインダー。
３０°＜θ2 ＜８０°                                  ・・・（14）
ただし、θ2 は第２反射面における軸上主光線の反射角である。
【請求項２９】
第３反射面の反射角は次の条件式を満たすことを特徴とする請求項２６記載の実像式変倍ファインダー。
１０°＜θ3 ＜６０°                                  ・・・（15）
ただし、θ3 は第３反射面における軸上主光線の反射角である。
【請求項３０】
対物光学系に入射する軸上主光線と中間結像面に入射する軸上主光線のなす角度は、次の条件式を満たしていることを特徴とする請求項２６記載の実像式変倍ファインダー。
９０°＜α≦１８０°                                  ・・・（16）
ただし、αは対物光学系に入射する軸上主光線と中間結像面に入射する軸上主光線のなす角度である。
【請求項３１】
中間結像面より物体側には、第１反射面と第３反射面が他の透過面、反射面とは独立で構成され、第２反射面は第２透過面と同一面で構成され、また、軸上主光線若しくは軸上主光線の一部を含む平面上に射影することにより定義する射影軸上主光線が、光線の進行方向を基準にしたとき連続した２つの反射面で同じ方向に曲がり、もう１面では異なる方向に曲がる光路を取る反射面が配置されることを特徴とする請求項１〜１８の何れか１項記載の実像式変倍ファインダー。
【請求項３２】
第１反射面の反射角は次の条件式を満たすことを特徴とする請求項３１記載の実像式変倍ファインダー。
２５°＜θ1 ＜６５°                                  ・・・（17）
ただし、θ1 は第１反射面における軸上主光線の反射角である。
【請求項３３】
第２反射面の反射角は次の条件式を満たすことを特徴とする請求項３１記載の実像式変倍ファインダー。
３５°＜θ2 ＜７５°                                  ・・・（18）
ただし、θ2 は第２反射面における軸上主光線の反射角である。
【請求項３４】
第３反射面の反射角は次の条件式を満たすことを特徴とする請求項３１記載の実像式変倍ファインダー。
１０°＜θ3 ＜５０°                                  ・・・（19）
ただし、θ3 は第３反射面における軸上主光線の反射角である。
【請求項３５】
対物光学系に入射する軸上主光線と中間結像面に入射する軸上主光線のなす角度は、次の条件式を満たしていることを特徴とする請求項３１記載の実像式変倍ファインダー。
２０°＜α＜９０°                                    ・・・（20）
ただし、αは対物光学系に入射する軸上主光線と中間結像面に入射する軸上主光線のなす角度である。
【請求項３６】
対物光学系に入射する軸上主光線と接眼光学系から射出する軸上主光線は、平行又は略平行に構成されていることを特徴とする請求項１〜１８の何れか１項記載の実像式変倍ファインダー。
【請求項３７】
対物光学系に入射する軸上主光線と接眼光学系から射出する軸上主光線とのなす角度は次の条件式を満たすことを特徴とする請求項３６記載の実像式変倍ファインダー。
０°≦φ＜２０°                                      ・・・（21）
ただし、φは入射する軸上主光線と射出する軸上主光線のなす角度である。
【請求項３８】
次の条件式を満たすことを特徴とする請求項１〜１８の何れか１項記載の実像式変倍ファインダー。
２．５≦ｆt ／ｆw ≦１０．０                          ・・・（22）
ただし、ｆw は対物光学系の広角端の焦点距離、ｆt は対物光学系の望遠端の焦点距離である。
【請求項３９】
中間結像面より物体側には回転対称非球面を有し、その中少なくとも１面は次の条件式を満たしていることを特徴とする請求項１〜１８の何れか１項記載の実像式変倍ファインダー。
０．００１＜｜（ｎ’−ｎ）・（１／ｒ−１／ｒASP ）・Ｉｈ｜                                          ＜０．０５      ・・・（23）
ただし、ｎ’は屈折側媒質の屈折率、ｎは入射側媒質の屈折率（反射面の場合はｎ’＝ｎになる。）、ｒは光軸上での近軸曲率半径、ｒASP は周辺部の曲率半径の中有効径内で最も変化したときの曲率半径、Ｉｈは最大の中間結像高とする。
【請求項４０】
非回転対称な反射面の中少なくとも１面の反射角は次の条件式を満たしていることを特徴とする請求項１〜１８の何れか１項記載の実像式変倍ファインダー。
５°＜θ＜６０°                                      ・・・（24）
ただし、θは軸上主光線の反射角である。
【請求項４１】
請求項１〜４０の何れか１項に記載の実像式変倍ファインダーとそれとは別体に構成された撮影レンズとを備えたことを特徴とするカメラ。